(57)【要約】【課題】この発明は暗所で視認し易くしたベッド装置を提供することにある。【解決手段】ボトムマットレスと、このボトムマットレスの上面に載置される上部マットレスとを備え、ボトムマットレスの外周面には、蓄光糸１６ｂが織り込まれた飾り布１４が設けられる。【選択図】      図６
2006034712.tif 000002
【特許請求の範囲】
【請求項１】
ボトムマットレスと、このボトムマットレスの上面に載置される上部マットレスとを備え、
上記ボトムマットレスの外周面には、蓄光糸が織り込まれた布地が設けられることを特徴とするベッド装置。
【請求項２】
上記ボトムマットレスの外周面には飾り布が着脱可能に設けられ、この飾り布に上記蓄光糸が織り込まれていることを特徴とする請求項１記載のベッド装置。
【請求項３】
上記ボトムマットレスの長手方向一端にはヘッドボードが設けられ、上記飾り布は上記ボトムマットレスの外周面の上記ヘッドボードが設けられた一端面を除く他端面及び幅方向の両側面にわたって設けられていて、
上記蓄光糸は、上記飾り布の上記ボトムマットレスの他端面の幅方向一端部と、幅方向他端部に位置する一方の側面の長手方向他端部とに設けられていることを特徴とする請求項２記載のマットレス装置。
【請求項４】
上記飾り布には上記蓄光糸によって刺繍が施されていることを特徴とする請求項３記載のマットレス装置。
【発明の詳細な説明】
【技術分野】
【０００１】
この発明はボトムマットレス及びこのボトムマットレスの上面に上部マットレスが載置されるベッド装置に関する。
【背景技術】
【０００２】
ベッド装置には種々のタイプのものがあり、その１つにダブルクッションタイプのベッド装置が知られている。ダブルクッションタイプのベッド装置は長手方向の一端面にヘッドボードが立設されたボトムマットレスを有する。このボトムマットレスの上面には上部マットレスが載置される。
【０００３】
このような構成のベッド装置は、上部マットレスの上面に仰臥した利用者を、上部マットレスだけでなく、ボトムマットレスによっても弾性的に支持する。そのため、利用者に与える寝心地が向上するという利点を有する。
【発明の開示】
【発明が解決しようとする課題】
【０００４】
ところで、利用者がベッド装置を利用して就寝する場合、通常、ベッド装置が設置された部屋は暗くしておくことが多い。そのため、その部屋に利用者或いは他の人が出入りする際、ベッド装置の周辺部を確実に視認できないことがあり、そのような場合にはボトムマットレスの外周面に足をぶつけたり、つまづいてしまうということがあった。
【０００５】
この発明は、部屋が暗い場合であっても、ボトムマットレスを容易に視認できるようにしたベッド装置を提供することにある。
【課題を解決するための手段】
【０００６】
この発明は、ボトムマットレスと、このボトムマットレスの上面に載置される上部マットレスとを備え、
上記ボトムマットレスの外周面には、蓄光糸が織り込まれた布地が設けられることを特徴とするベッド装置にある。
【０００７】
上記ボトムマットレスの外周面には飾り布が着脱可能に設けられ、この飾り布に上記蓄光糸が織り込まれていることが好ましい。
【０００８】
上記ボトムマットレスの長手方向一端にはヘッドボードが設けられ、上記飾り布は上記ボトムマットレスの外周面の上記ヘッドボードが設けられた一端面を除く他端面及び幅方向の両側面にわたって設けられていて、
上記蓄光糸は、上記飾り布の上記ボトムマットレスの他端面の幅方向一端部と、幅方向他端部に位置する一方の側面の長手方向他端部とに設けられていることが好ましい。
【０００９】
上記飾り布には上記蓄光糸によって刺繍が施されていることが好ましい。
【発明の効果】
【００１０】
この発明によれば、ボトムマットレスの外周面に蓄光糸を織り込んだ布地を設けるようにしたから、暗所で上記蓄光糸が発光するため、その発光によってボトムマットレスを視認することが可能となる。
【発明を実施するための最良の形態】
【００１１】
以下、この発明の実施の形態を図面を参照して説明する。  
図１乃至図６はこの発明の一実施の形態を示す。図１はベッド装置の側面図で、図２は正面図である。このベッド装置はボトムマットレス１を備えている。このボトムマットレス１は図３と図４に示すように木枠２を有する。この木枠２の上面には図示しない板材を介してシート状の下部フェルト３が敷設され、この下部フェルト３上にはスプリングユニット４が設けられている。
【００１２】
このスプリングユニット４は所定の厚さ寸法を有する矩形板状に形成されていて、その上下面の周縁部には枠線５がクリップ６によって取り付けられている。  
上記スプリングユニット４の上面にはシート状の上部フェルト７が設けられている。この上部フェルト７の上面及び上記スプリングユニット４の外周面はウレタンフォームなどの弾性シート８によって覆われている。
【００１３】
そして、この弾性シート８及び上記木枠２の下面は外装地９によって被覆されている。この外装地９は、図３と図４に示すようにボトムマットレス１の上下面を被覆する鏡部９ａ及び外周面及び上下面の周辺部を被覆するまち部９ｂからなり、このまち部９ｂはたとえばパイル地などの後述するベルベットファスナ１５が係着可能な布地が用いられている。
【００１４】
図１と図２に示すように、上記ボトムマットレス１の下面四隅部には脚体１１が設けられ、長手方向の一端面には鎖線で示すようにヘッドボード１２が立設されている。さらに、ボトムマットレス１の周辺部のうち、ヘッドボード１２が設けられた、長手方向の一端面を除く３つの面には飾り布１４が設けられている。
【００１５】
この飾り布１４は、図４と図５に示すように上記ボトムマットレス１の３つの辺がなす形状に対応するＵ字状の平面形状に形成されているとともに、断面形状は上記ボトムマットレス１の外周面及び上下面に沿う側辺１４ａ及び上下辺１４ｂ、１４ｃを有するコ字状に形成されている。
【００１６】
上記飾り布１４の上辺１４ｂ及び下辺１４ｃの内面には、全長にわたってベルベットファスナ１５が設けられている。そして、飾り布１４は、ベルベットファスナ１５をボトムマットレス１の周辺部に設けられたまち部９ｂに着脱可能に係着させて設けられる。それによって、飾り布１４は、上記ボトムマットレス１のヘッドボード１２が設けられた一端面を除く３つの側面を覆っている。
【００１７】
図１と図２に示すように、上記飾り布１４の側辺１４ａには、ボトムマットレス１の他端面の幅方向一端部と、この幅方向一端部と反対側に位置する幅方向の他側面で、この他側面の長手方向の他端部とに、それぞれ刺繍１６が施されている。この刺繍１６は、図６に示すように通常の刺繍糸１６ａと蓄光糸１６ｂによって形成されている。
【００１８】
つまり、図６において細い線が刺繍糸１６ａであり、太い糸が蓄光糸１６ｂである。刺繍１６の一部に蓄光糸１６ｂを用いたことで、ベッド装置が設置された部屋が暗くなったときに、上記蓄光糸１６ｂが発光する。  
そして、上記構成のボトムマットレス１の上面には、図１と図２に鎖線で示すように上部マットレス１８が載置される。
【００１９】
このように、この発明のベッド装置は、ボトムマットレス１の外周面に飾り布１４を設け、この飾り布１４に刺繍１６を施すとともに、その刺繍１６の一部に蓄光糸１６ｂを用いるようにした。
【００２０】
刺繍１６の一部に蓄光糸１６ｂが用いられていれば、ベッド装置が設置された室内が暗い場合であっても、上記刺繍１６の蓄光糸１６ｂが発光する。したがって、利用者や他の人が室内に出入りする際、上記蓄光糸１６ｂによってボトムマットレス１を視認することができるから、ボトムマットレス１の周辺に足をぶつけたり、つまづくのを防止することができる。
【００２１】
ボトムマットレス１の外周面に設けられた飾り布１４には、ボトムマットレス１の端面の幅方向一端部と、この一端部と反対側の側面の長手方向の端部に対応する部分とに刺繍１６が設けられている。
【００２２】
そのため、利用者などが暗い室内において、ヘッドボード１２と反対側の足元側からベッド装置に近付いてくると、端面の幅方向一端部と、幅方向他端側に位置する側面の長手方向の端部との二箇所に設けられた刺繍１６の蓄光糸１６ｂが発光することで、ボトムマットレス１の足元側の幅方向全体の輪郭を確認することができる。つまり、飾り布１４に刺繍１６を部分的に設けるだけで、ボトムマットレス１の足元側の形状を確認できるから、全体に刺繍１６を施す場合に比べて経済的である。
【００２３】
また、刺繍１６が施された飾り布１４は装飾的効果を有するから、ボトムマットレス１の外観の向上を図ることができる。しかも、上記飾り布１４はボトムマットレス１に着脱可能に設けられているから、不要な場合には取り外すこともできる。
【００２４】
上記一実施の形態では、飾り布１４に設けられる刺繍１６の一部に蓄光糸１６ｂを用いるようにしたが、図７（ａ）に示すように飾り布１４の角部に蓄光糸によって形成された玉縁２１を設けたり、図７（ｂ）に示すように飾り布１４の側辺１４ａと下辺１４ｃとがなす角部の全長にわたって玉縁２２を設けるようにしてもよい。
【００２５】
また、ボトムマットレス１に飾り布を設ける代わりに、図示しないが、ボトムマットレス１の外装地９に、蓄光糸１６ｂを直接、設けるようにしてもよい。その場合、蓄光糸１６ｂによって刺繍をしてもよいが、刺繍せずに外装地９に単に織り込むようにしてもよく、どのように設けるかは限定されるものでない。
【００２６】
また、飾り布はボトムマットレスのヘッドボードが設けられた一端面を除く三辺に設けたが、長手方向の他端面だけに設けたり、一方の側面だけに設けたり、或いは端面と一方の側面との二辺に設けるようにしてもよい。
【図面の簡単な説明】
【００２７】
【図１】この発明の一実施の形態を示すベッド装置の側面図。
【図２】ベッド装置の正面図。
【図３】ボトムマットレスの一部破断した平面図。
【図４】ボトムマットレスの一部断面した側面図。
【図５】飾り布の斜視図。
【図６】飾り布に設けられる刺繍の拡大図。
【図７】（ａ），（ｂ）はそれぞれこの発明の飾り布の変形例を示す斜視図。
【符号の説明】
【００２８】
１…ボトムマットレス、１４…飾り布、１６…刺繍、１６ａ…刺繍糸、１６ｂ…蓄光糸、１８…上部マットレス、２１，２２…玉縁。
【図１】
2006034712.tif 000003
【図２】
2006034712.tif 000004
【図３】
2006034712.tif 000005
【図４】
2006034712.tif 000006
【図５】
2006034712.tif 000007
【図６】
2006034712.tif 000008
【図７】
2006034712.tif 000009